(57)【要約】【課題】複数系統の画像入力に対応し、投影面積を有効に活用する。【解決手段】複数の画像信号を入力する無線ＬＡＮインタフェース13と、光像を形成して投影する投影系(12，14〜19)と、装置筐体の姿勢を検出する加速度センサ25と、入力した複数の画像信号を用い、加速度センサ25での検出結果に基づいた方向及び配置とした複数の画像を含む光像を投影系(12，14〜19)で投影させるＣＰＵ20とを備える。【選択図】図１
2012073384.tif 000002
【特許請求の範囲】
【請求項１】
複数の画像信号を入力する入力手段と、
光像を形成して投影する投影手段と、
装置筐体の姿勢を検出する検出手段と、
上記入力手段で入力した複数の画像信号を用い、上記検出手段での検出結果に基づいた方向及び配置とした複数の画像を含む光像を上記投影手段で投影させる投影制御手段と
を具備したことを特徴とする投影装置。
【請求項２】
上記入力手段は、無線ネットワーク接続により外部機器から随時画像信号を受付け、
上記投影制御手段は、上記入力手段で画像信号を受付けた時点で、上記検出手段での検出結果に基づいた方向及び配置とした複数の画像を含む光像を生成して上記投影手段で投影させる
ことを特徴とする請求項１記載の投影装置。
【請求項３】
複数の画像信号を入力する入力部、及び光像を形成して投影する投影部を備えた装置での投影方法であって、
装置筐体の姿勢を検出する検出工程と、
上記入力部で入力した複数の画像信号を用い、上記検出工程での検出結果に基づいた方向及び配置とした複数の画像を含む光像を上記投影部で投影させる投影制御工程と
を有したことを特徴とする投影方法。
【請求項４】
複数の画像信号を入力する入力部、及び光像を形成して投影する投影部を備えた装置が内蔵するコンピュータが実行するプログラムであって、
上記コンピュータを、
装置筐体の姿勢を検出する検出手段、及び
上記入力部で入力した複数の画像信号を用い、上記検出手段での検出結果に基づいた方向及び配置とした複数の画像を含む光像を上記投影部で投影させる投影制御手段
として機能させることを特徴とするプログラム。
【発明の詳細な説明】
【技術分野】
【０００１】
本発明は、縦置きまたは横置きで使用する投影装置、投影方法及びプログラムに関する。
【背景技術】
【０００２】
投影光軸を中心として装置筐体を回転し縦置きまたは横置きとする場合に、投影する画像のアスペクト比等も考慮して常に上下関係が適正な画像を投影することを目的とした技術が考えられている。（例えば、特許文献１）
【先行技術文献】
【特許文献】
【０００３】
【特許文献１】特開２００５−２０８１３６号公報
【発明の概要】
【発明が解決しようとする課題】
【０００４】
近時、無線ＬＡＮ技術が普及してノートブックタイプのパーソナルコンピュータや電子ブック、携帯音楽プレーヤや携帯ゲーム機などに無線ＬＡＮ機能が標準で搭載される環境下では、プロジェクタ装置が無線ＬＡＮ機能を備えることで、複数の機器から画像を入力して同一画面上にエリアを分割して同時に投影することも考えられる。上記特許文献に記載された技術は、１系統の画像信号入力のみに対応したものであり、複数系統の画像入力は想定していない。
【０００５】
本発明は上記のような実情に鑑みてなされたもので、その目的とするところは、複数系統の画像入力に対応し、投影面積を有効に活用した投影が実現可能な投影装置、投影方法及びプログラムを提供することにある。
【課題を解決するための手段】
【０００６】
請求項１記載の発明は、複数の画像信号を入力する入力手段と、光像を形成して投影する投影手段と、装置筐体の姿勢を検出する検出手段と、上記入力手段で入力した複数の画像信号を用い、上記検出手段での検出結果に基づいた方向及び配置とした複数の画像を含む光像を上記投影手段で投影させる投影制御手段とを具備したことを特徴とする。
【０００７】
請求項２記載の発明は、上記請求項１記載の発明において、上記入力手段は、無線ネットワーク接続により外部機器から随時画像信号を受付け、上記投影制御手段は、上記入力手段で画像信号を受付けた時点で、上記検出手段での検出結果に基づいた方向及び配置とした複数の画像を含む光像を生成して上記投影手段で投影させることを特徴とする。
【０００８】
請求項３記載の発明は、複数の画像信号を入力する入力部、及び光像を形成して投影する投影部を備えた装置での投影方法であって、装置筐体の姿勢を検出する検出工程と、上記入力部で入力した複数の画像信号を用い、上記検出工程での検出結果に基づいた方向及び配置とした複数の画像を含む光像を上記投影部で投影させる投影制御工程とを有したことを特徴とする。
【０００９】
請求項４記載の発明は、複数の画像信号を入力する入力部、及び光像を形成して投影する投影部を備えた装置が内蔵するコンピュータが実行するプログラムであって、上記コンピュータを、装置筐体の姿勢を検出する検出手段、及び上記入力部で入力した複数の画像信号を用い、上記検出手段での検出結果に基づいた方向及び配置とした複数の画像を含む光像を上記投影部で投影させる投影制御手段として機能させることを特徴とする。
【発明の効果】
【００１０】
本発明によれば、複数系統の画像入力に対応し、投影面積を有効に活用した投影が実現可能となる。
【図面の簡単な説明】
【００１１】
【図１】本発明の一実施形態に係るにデータプロジェクタ装置の概略機能構成を示すブロック図である。
【図２】同実施形態に係る送信側の外部機器による処理内容を示すフローチャートである。
【図３】同実施形態に係る受信側のデータプロジェクタ装置による処理内容を示すフローチャートである。
【図４】同実施形態に係るデータプロジェクタ装置の姿勢に対応した合成画像の投影内容を例示する図である。
【発明を実施するための形態】
【００１２】
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。  
図１は、本実施形態に係るデータプロジェクタ装置１０の有する電子回路の機能構成を示すブロック図である。
【００１３】
入力部１１は、例えばピンジャック（ＲＣＡ）タイプのビデオ入力端子、Ｄ−ｓｕｂ１５タイプのＲＧＢ入力端子などにより構成される。入力部１１に入力された各種規格のアナログ画像信号は、入力部１１でデジタル化された後に、システムバスＳＢを介して画像変換部１２に送られる。
【００１４】
一方で、図示しない外部機器、例えばパーソナルコンピュータからＩＥＥＥ８０２．１１ａ／ｂ／ｇ／ｎ等の無線ＬＡＮ規格に従って画像データが送られてくる場合、無線ＬＡＮインタフェース（Ｉ／Ｆ）１３で受信する。無線ＬＡＮインタフェース１３は受信したデジタル値の画像データを復調し、システムバスＳＢを介して上記画像変換部１２に送る。
【００１５】
画像変換部１２は、一般にスケーラとも称され、入力される画像データに対して必要によりデータ圧縮を解いた後、投影に適した所定のフォーマットの画像データに統一して投影画像駆動部１４へ送る。
【００１６】
投影画像駆動部１４は、送られてきた画像データに基づいて、フレームレート、例えば６０［フレーム／秒］と色成分の分割数、及び表示階調数を乗算した、より高速な時分割駆動により表示素子１５で原色画像を表示させる。
【００１７】
この表示素子１５は、マイクロミラー素子で構成する。当該マイクロミラー素子は、アレイ状に配列された複数、例えばＳＸＧＡ（横１２８０画素×縦１０２４画素）個の微小ミラーの各傾斜角度を個々に高速でオン／オフ動作して表示動作することで、その反射光により光像を形成する。
【００１８】
一方で、光源部１６から時分割でＲ，Ｇ，Ｂの原色光が循環的に出射される。この光源部１６からの原色光が、ミラー１７で全反射して上記表示素子１５に照射される。
【００１９】
そして、表示素子１５の反射光で光像が形成され、形成された光像が投影レンズユニット１８を介して、投影対象となる図示しないスクリーンに投影される。
【００２０】
上記光源部１６は、赤色（Ｒ）光、青色（Ｇ）光、及び青色（Ｂ）光を発する３色の半導体発光素子、例えばＬＥＤ（発光ダイオード）と各色光を出射させるための光学系とを備え、光源駆動部１９の駆動に基づいてＲ，Ｇ，Ｂの各原色光を時分割で循環的に発生する。
【００２１】
ここで光源駆動部１９は、上記投影画像駆動部１４から与えられる画像表示に同期したタイミング信号と、後述するＣＰＵ２０の制御に応じて光源部１６を駆動して発光させる。
【００２２】
上記各回路の動作すべてをＣＰＵ２０が制御する。このＣＰＵ２０は、メインメモリ２１及びプログラムメモリ２２と接続される。上記メインメモリ２１は、ＤＲＡＭで構成され、このＣＰＵ２０のワークメモリとして機能する。
【００２３】
上記プログラムメモリ２２は、電気的書換可能な不揮発性メモリ、例えばフラッシュメモリで構成され、ＣＰＵ２０が実行する動作プログラムや、後述するマルチ画面投影のための処理プログラム、その他、各種定型データ等を記憶する。
【００２４】
ＣＰＵ２０は、プログラムメモリ２２に記憶されている動作プログラムやデータ等を読出し、メインメモリ２１に展開して記憶させた上で、当該プログラムを実行することにより、このデータプロジェクタ装置１０を統括して制御する。
【００２５】
ＣＰＵ２０は、操作部２３からのキー操作信号に応じて各種投影動作を実行する。  
この操作部２３は、データプロジェクタ装置１０の本体に設けられるキー操作部と、このデータプロジェクタ装置１０専用の図示しないリモートコントローラからの赤外光を受光するレーザ受光部とを含む。
【００２６】
操作部２３は、ユーザが本体のキー操作部またはリモートコントローラで操作したキーに基づくキー操作信号をＣＰＵ２０へ出力する。
【００２７】
上記ＣＰＵ２０はさらに、上記システムバスＳＢを介して音声駆動部２４、及び加速度センサ２５とも接続される。  
上記音声駆動部２４は、ＰＣＭ音源等の音源回路を備え、投影動作時に与えられる音声信号をアナログ化し、スピーカ部２６を駆動して放音させ、あるいは必要によりビープ音等を発生させる。  
加速度センサ２５は、例えば上記投影レンズユニット１８の投影光軸と直交する平面にそれぞれ沿った、互いに直交する２軸方向の加速度を検知する。ＣＰＵ２０は、加速度センサ２５の検知出力により重力加速度の方向を検知することで、データプロジェクタ装置１０の筐体が縦置きされているか、横置きされているかのいずれかを判断する。
【００２８】
次に上記実施形態の動作について説明する。  
まず、データプロジェクタ装置１０に対して無線ＬＡＮ接続された外部機器、例えばパーソナルコンピュータが画像データを送信する場合の処理内容について図２により説明する。
【００２９】
図２において、パーソナルコンピュータでは、ディスプレイに表示する画面の内容が変更されたか否かを随時判断している（ステップＳ１０１）。そして、画面が変更されたと判断した時点で、次のその変更された新たな画面の画像データをキャプチャする（ステップＳ１０２）。
【００３０】
次いで、キャプチャした画像データを、例えばＪＰＥＧ（Ｊｏｉｎｔ  Ｐｈｏｔｏｇｒａｐｈｉｃ  Ｅｘｐｅｒｔｓ  Ｇｒｏｕｐ）などのデータファイル形式で圧縮してコード化する（ステップＳ１０３）。こうしてデータ圧縮を施すことで、データプロジェクタ装置１０との間の無線ＬＡＮ接続で送受する時間を短縮できる。
【００３１】
次いで、コード化した画像データを上記データプロジェクタ装置１０に向けて送信した後（ステップＳ１０４）、データプロジェクタ装置１０との接続を断って退出するための操作がなされたか否かを判断する（ステップＳ１０５）。
【００３２】
ここで退出のための操作がなされていないと判断した場合には、再び上記ステップＳ１０１からの処理に戻り、以後同様に画面の更新に際して同様の処理を繰返す。
【００３３】
そして、パーソナルコンピュータで無線ＬＡＮによるデータプロジェクタ装置１０との接続が解かれる操作がなされた場合、上記ステップＳ１０５でそれを判断し、以上で上記図２での処理を終了する。  
このようにデータプロジェクタ装置１０と無線ＬＡＮで接続されているパーソナルコンピュータ等の外部機器は、画面の変化に伴ってその都度画像データをデータプロジェクタ装置１０に対して送信する。
【００３４】
次に外部機器から画像データを受信して投影するデータプロジェクタ装置１０側の動作について説明する。  
なお上述した如くデータプロジェクタ装置１０では、表示素子１５で表示するための画像を画像変換部１２が作成し、作成した画像を投影画像駆動部１４が表示素子１５で表示し、表示素子１５での表示に合わせて光源駆動部１９が光源部１６を駆動する。
【００３５】
これら画像変換部１２、投影画像駆動部１４、及び光源駆動部１９は、いずれもＣＰＵ２０の制御の下に動作する。ＣＰＵ２０は、以下に示す画像データの作成処理も含め、プログラムメモリ２２に記憶されている動作プログラムや固定データ等を読出してメインメモリ２１に展開した上で制御処理を実行する。
【００３６】
図３は、外部機器からの画像データを受信してそれに伴う投影動作を行なうデータプロジェクタ装置１０での処理内容を示す。
【００３７】
その処理当初にＣＰＵ２０は、無線ＬＡＮインタフェース１３を介して画像データが受信されるのを待機する（ステップＲ１０１）。
【００３８】
そして、画像データを受信した時点で上記ステップＲ１０１によりそれを判断し、受信した画像データに施されている、例えばＪＰＥＧによる圧縮を画像変換部１２でデコードさせる（ステップＲ１０２）。
【００３９】
次いで、その時点でデータプロジェクタ装置１０に無線ＬＡＮ接続されている機器の数が１台であるか２台であるかを判断する（ステップＲ１０３）。
【００４０】
ここで接続されている外部機器の数が１台のみであると判断した場合には、その時点でのデータプロジェクタ装置１０筐体の配置、すなわち縦置きであるか、横置きであるかに応じて、受信した画像データをできる限り投影面積を有効に活用するべく画像変換部１２でリサイズさせる（ステップＲ１０４）。
【００４１】
そして、リサイズした画像データを用いて投影画像駆動部１４により表示素子１５で画像を表示させ、光源部１６からの光を用いて投影レンズユニット１８で画面全体を使用して画像を投影させる（ステップＲ１０５）。
【００４２】
その後、投影動作の終了を指示するキー操作が操作部２３でなされていないことを確認した後（ステップＲ１０６）、次の画像入力に備えて上記ステップＲ１０１からの処理に戻る。
【００４３】
また上記ステップＲ１０３で無線ＬＡＮ接続されている外部機器の数が１台ではなく２台であると判断した場合には、次いでこのデータプロジェクタ装置１０の配置が縦置きであるか。横置きであるかを加速度センサ２５の検知出力により判断する（ステップＲ１０７）。
【００４４】
ここでデータプロジェクタ装置１０が横置きであると判断した場合にＣＰＵ２０は、上記ステップＲ１０２でデコードした画像データの横の長辺が、投影範囲の矩形長辺の略１／２となるように画像変換部１２で画像データをリサイズする（ステップＲ１０８）。
【００４５】
次にＣＰＵ２０は、直前に画像データを送ってきた外部機器が無線ＬＡＮ接続の順序で１台目であるか、または２台目であるかを判断する（ステップＲ１０９）。
【００４６】
ここで１台目であると判断した場合にＣＰＵ２０は、リサイズした画像データを投影範囲の左側に投影するべく、投影画像駆動部１４により表示素子１５で表示させる（ステップＲ１１０）。
【００４７】
また、上記ステップＲ１０９で外部機器が２台目であると判断した場合にＣＰＵ２０は、リサイズした画像データを投影範囲の右側に投影するべく、投影画像駆動部１４により表示素子１５で表示させる（ステップＲ１１１）。
【００４８】
図４（Ａ）は、データプロジェクタ装置１０を横置きとしている場合のマルチ画面投影の状態を例示する。同図（Ａ）に示すようにデータプロジェクタ装置１０は、投影範囲ＰＡの左上部に１台目の送信側外部機器からの画面を、同右上部に２台目の送信側外部機器からの画面をそれぞれ配置して同時に投影する。
【００４９】
上記ステップＲ１１０またはＲ１１１による処理を終えるとＣＰＵ２０は、投影動作の終了を指示するキー操作が操作部２３でなされていないことを確認した後（ステップＲ１０６）、次の画像入力に備えて上記ステップＲ１０１からの処理に戻る。
【００５０】
また、上記ステップＲ１０７でデータプロジェクタ装置１０が横置きではなく縦置きであると判断した場合にＣＰＵ２０は、上記ステップＲ１０２でデコードした画像データを９０°回転させた後（ステップＲ１１２）、回転させた後の横の短辺が、投影範囲の矩形長辺の略１／２となるように画像変換部１２で画像データをリサイズする（ステップＲ１１３）。
【００５１】
次にＣＰＵ２０は、直前に画像データを送ってきた外部機器が無線ＬＡＮ接続の順序で１台目であるか、または２台目であるかを判断する（ステップＲ１１４）。
【００５２】
ここで１台目であると判断した場合にＣＰＵ２０は、リサイズした画像データを投影範囲の（投影対象側での）上側に投影するべく、投影画像駆動部１４により表示素子１５で表示させる（ステップＲ１１５）。
【００５３】
また、上記ステップＲ１１４で外部機器が２台目であると判断した場合にＣＰＵ２０は、リサイズした画像データを投影範囲の（投影対象側での）下側に投影するべく、投影画像駆動部１４により表示素子１５で表示させる（ステップＲ１１６）。
【００５４】
図４（Ｂ）は、データプロジェクタ装置１０を縦置きとしている場合のマルチ画面投影の状態を例示する。同図（Ｂ）に示すようにデータプロジェクタ装置１０は、投影範囲ＰＡの上側に１台目の送信側外部機器からの画面を、同下側に２台目の送信側外部機器からの画面をそれぞれ配置して同時に投影する。
【００５５】
上記ステップＲ１１５またはＲ１１６による処理を終えるとＣＰＵ２０は、投影動作の終了を指示するキー操作が操作部２３でなされていないことを確認した後（ステップＲ１０６）、次の画像入力に備えて上記ステップＲ１０１からの処理に戻る。
【００５６】
以上詳述した如く本紙実施形態によれば、無線ＬＡＮで接続された複数の外部機器からの画像データが入力される場合、データプロジェクタ装置１０の置き方に応じて、空きスペースを極力少なくし、投影面積を有効に活用した投影が実現可能となる。
【００５７】
加えて上記実施形態では、２台のパーソナルコンピュータ等の外部機器が無線ネットワークにより接続される場合、通常のライン入力のようなストリームデータではなく、その都度必要に応じたタイミングで間欠的に画像データを送ってくると、その入力を受付けて随時処理を実行するものとしたので、容量が限られる無線周波数帯域を無駄に使用せず、且つＣＰＵの負担を軽減しながら同様の制御が実行可能となる。
【００５８】
なお上記実施形態では、データプロジェクタ装置１０に無線ＬＡＮで接続される外部機器の数を、説明を容易にするべく最大２台であるものとして説明を行なったが、本発明はこれに限らず、画面の分割数が多くなるものの、当然ながら３台以上の外部機器を接続する場合も同様に処理することが可能である。
【００５９】
また上記実施形態では、ＤＬＰ（登録商標）方式のデータプロジェクタに適用した場合について説明したが、本発明はプロジェクタ方式や光源となる素子等を限定するものではない。
【００６０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００６１】
１０…データプロジェクタ装置、１１…入力部、１２…画像変換部、１３…無線ＬＡＮインタフェース（Ｉ／Ｆ）、１４…投影画像駆動部、１５…表示素子、１６…光源部、１７…ミラー、１８…投影レンズユニット、１９…光源駆動部、２０…ＣＰＵ、２１…メインメモリ、２２…プログラムメモリ、２３…操作部、２４…音声駆動部、２５…加速度センサ、２６…スピーカ部、ＳＢ…システムバス。
【図１】
2012073384.tif 000003
【図２】
2012073384.tif 000004
【図３】
2012073384.tif 000005
【図４】
2012073384.tif 000006